(57)【要約】  配管およびホースのための遊びの無い入挿入コネクタ材部材であって、ネジ継手体と、管部分に配置された保持面に支持されている保護リングを用いて、ネジ継手体に差込まれる管部分を閉鎖するように収容するための、ネジ継手体上にネジで固定された袋ナットを備え、保護リングに割当てられた、空間の底面には、保護リングを収容するための段を付された凹部が形成されており、この凹部が、第一の段と第一の段に接続しておりかつ固定する第二の段から成り、さらに、空間内に、差込まれる管部分をネジ継手体に対して封隙する封隙リングが配置されており、管部分が、差込み方向とは逆方向にその差込み位置から媒体の加圧により、ネジ継手体に対してその閉鎖位置に移行可能であり、保護リングと封隙部の間の空間内に、固定リングが配置されており、この固定リングが一方では保護リングと、他方では封隙部と当接しており、かつこの固定リングが差込まれた管部分とネジ継手体および／または袋ナットに構成されていて、かつ保護リングの方向における軸方向の経過において、管部分の長手方向軸線に対して傾けられた当接面の間で支持されており、前記当接面が、閉鎖位置にある管部分において、過圧された封隙部によりその固定位置に移動された固定リングが、それ自体セルフロックで空間内に挟み込まれており、それにより管部分を遊び無く固定するような傾斜でもって構成されている。
2017509840.tif 000002
【特許請求の範囲】
【請求項１】
配管あるいはホースを貫流する媒体を通すための孔（２）を備えたネジ継手体（３）と、
管部分（５）に配置された保持面（６）に支持されている保護リング（７）を用いて、ネジ継手体（３）に差込まれる管部分（５）を閉鎖するように収容するための、ネジ継手体（３）上にネジで固定された袋ナット（４）を備え、
前記保護リングが、袋ナット（４）、ネジ継手体（３）および管部分（５）により区画された空間（８）内に配置されており、
保護リング（７）に割当てられた、空間（８）の底面（９）には、保護リング（７）を収容するための一つの段を付された凹部（１０）が形成されており、
この凹部が、管部分（５）を差込む際に、空間（８）に隣接していて、保護リング（７）の収容部に配置された第一の段（１１）と
第一の段に接続しておりかつ差込まれる管部分（５）の保持面（６）に当接した状態で保護リング（７）を固定する第二の段（１２）から成り、
さらに、空間（８）内に、差込まれる管部分（５）をネジ継手体（３）に対して封隙する封隙部（１３）が配置されており、
管部分（５）が、差込み方向（１４）とは逆方向にその差込み位置から媒体への加圧により、ネジ継手体（３）に対してその閉鎖位置に移行可能であり、
この閉鎖位置において、保護リング（７）が凹部（１０）第二の段（１２）にある挿入コネクタ部材において、
保護リング（７）と封隙部（１３）の間の空間（８）内に、固定リング（１５）が配置されており、この固定リングが差込まれた管部分（５）とネジ継手体（３）および／または袋ナット（４）に構成されていて、かつ保護リング（７）の方向における軸方向の経過において、管部分（５）の長手方向軸線（１７）に対して傾けられた当接面（５）の間で支持されており、
前記当接面（１６）が、閉鎖位置にある管部分（５）において、過圧された封隙部（１３）によりその固定位置に移動された固定リング（１５）が、それ自体セルフロックで空間（８）内に挟み込まれており、それにより管部分（５）を遊び無く固定するような傾斜でもって構成されていることを特徴とする挿入コネクタ部材（１）。
【請求項２】
当接面（１６）が、管部分（５）の長手方向軸線（１７）に対して１０°よりも小さい角度でもって傾けられていることを特徴とする請求項１に記載の挿入コネクタ部材（１）。
【請求項３】
当接面（１６）が袋ナット（４）内で構成されていることを特徴とする請求項１または２に記載の挿入コネクタ部材（１）。
【請求項４】
凹部（１０）の第一の段（１１）の軸方向の区画面が、差込み方向に対して傾けられておりかつ当接面（１６）を形成していることを特徴とする請求項３に記載の挿入コネクタ部材（１）。
【請求項５】
当接面（１６）が、空間（８）に配置されたネジ継手体（３）と袋ナット（４）の間で支持されている中間リング（１９）或いはネジ継手体（３）に構成されたソケット（２０）に構成されていることを特徴とする請求項１〜４のいずれか一つに記載の挿入コネクタ部材（１）。
【請求項６】
固定リング（１５）のその軸方向の横断面がＺ状に形成されており、従って固定リングが一方では軸方向で、空間（８）に配置された中間リング（１９）あるいはネジ継手体（３）に構成されたソケット（２０）と当接しており、他方では軸方向で、管部分（５）の隆起部（２１）と当接していることを特徴とする請求項１〜５のいずれか一つに記載の挿入コネクタ部材（１）。
【請求項７】
固定リング（１５）が差込み位置（１４）と閉鎖位置で管部分（５）の隆起部（２１）に当接することを特徴とする請求項１〜６のいずれか一つに記載の挿入コネクタ部材（１）。
【請求項８】
固定リング（１５）が長手方向軸線（１７）に対して平行に構成された少なくとも一つのスリット（２２）を備えていることを特徴とする請求項１〜７のいずれか一つに記載の挿入コネクタ部材（１）。
【発明の詳細な説明】
【技術分野】
【０００１】
本発明は、配管およびホースのための遊びの無い挿入コネクタ部材であって、配管あるいはホースを貫流する媒体を通す穴を備えたネジ継手体と、管部分に配置された保持面に支持されている保護リングを用いて、ネジ継手体に差込まれる管部分を閉鎖するように収容するための、ネジ継手体上にネジで固定された袋ナットを備え、前記保護リングが、袋ナット、ネジ継手体および管部分により区画された空間内に配置されており、保護リングに割当てられた、空間底面には、保護リングを収容するための一つの段を付された凹部が形成されており、この凹部が、管部分を差込む際に、空間に隣接していて、保護リングの収容部に配置された第一の段と、第一の段に接続しておりかつ差込まれる管部分の保持面に当接した状態で保護リング７を固定する第二の段から成り、空間内に、差込まれる管部分をネジ継手体に対して封隙する封隙リングが配置されており、管部分が、差込み方向とは逆方向にその差込み位置から媒体への加圧により、ネジ継手体に対してその閉鎖位置に移行可能であり、この閉鎖位置において、保護リングが凹部第二の段にある挿入コネクタ部材に関する。
【背景技術】
【０００２】
先に挙げた特徴を備えた挿入コネクタ部材は特許文献１に記載されている。この公知の挿入コネクタ部材は、一方では、第一の管と接続されるか或いはこの管の構成要素を形成するネジ継手体上に固定されてネジで固定された袋ナット内に構成された空間には、弾性的に拡張可能な保護リングが配置されており、および他方では、管部分が第二の管の形態で、管部においてその管壁部の変形により構成された隆起部により、袋ナットの空間内にあるいは袋ナットに接続しているネジ継手体内に差込み可能であり、かつネジ継手体内で保護リングを用いて閉鎖可能であるという閉鎖原理に基づいている。管部分を差込む際に、保護リングがネジ継手体と管部分を接続位置に到達する際に、隆起部により形成される閉鎖面の後ろへパチンと音をたてるまで、隆起部は弾性的に構成された保護リングを拡張する。保護リングのこの半径方向の移動を可能にするために、保護リングに属する、空間の底面において、保護リングを収容するための段を付された凹部が形成されており、この凹部は、空間に隣接していて、かつ管部分を差込む際に保護リングを収容するために配置された第一の段と、この第一の段位接続しておりかつ差込まれた管部分に閉鎖するように当接状態にある保護リングを固定する第二の段から成る。凹部のこれら両方に段の割当てに基づいて、公知の挿入コネクタ部材の場合、管部分を差込む際のネジ継手体上での袋ナットの回転は行われない。
【０００３】
このような挿入コネクタ部材により、ネジ継手体内での管部分のまず無負荷の差込み位置において、保護リングは、第一の凹部の段と第二の凹部の段の間の移行角隅部に当接するという短所がまだ関連されている。最初に、圧力下にある挿入コネクタ部材或いは挿入コネクタ部材上に及ぼされる引張荷重の場合、保護リングは完全に第二の凹部の段内に引入れられ、かつその中で袋ナットの位置によりネジ継手上で固定される。それから推して、圧力が変わる際に、特に圧力の無い挿入コネクタ部材の場合に、袋ナットを備えたネジ継手体に対して閉鎖面を備えた管部分の若干の軸方向の遊びが存在する。この軸方向の遊びにより、動的な圧縮応力あるいは挿入コネクタ部材に作用する振動において、相対して部材の対応した軸方向の移動が生じ、それにより磨滅が生じ、その後挿入コネクタ部材の寿命はより短くなる。
【先行技術文献】
【特許文献】
【０００４】
【特許文献１】独国特許出願公告第１０２００４０３５３５４号明細書
【発明の概要】
【発明が解決しようとする課題】
【０００５】
従って本発明の根底を成す課題は、圧力の無い状態に対する動的加圧状態の場合にならびに振動が作用する場合に、挿入コネクタ部材の部材の相対運動が防止されているように、本発明による特徴を備えた挿入コネクタ部材を改良することである。
【課題を解決するための手段】
【０００６】
この課題は、独立請求項の特徴を備えた挿入コネクタ部材により解決される。挿入コネクタ部材の有利な態様は、従属請求項と明細書に記載されており、これらの有利な態様の特徴は、任意の技術的に意味ある方法で、互いに組み合わせられることができる。
【０００７】
保護リングと封隙部の間の空間内に、固定リングが配置されており、この固定リングが差込まれた管部分とネジ継手体および／または袋ナットに構成されていて、かつ保護リングの方向における軸方向の経過において、管部分の長手方向軸線に対して傾けられた当接面の間で支持されており、前記当接面が、閉鎖位置にある管部分において、過圧された封隙部によりその固定位置に移動された固定リングが、それ自体セルフロックで空間内で挟み込まれており、それにより管部分を遊び無く固定する。その際に、遊びの無い固定は、軸方向にも半径方向にも作用し並びに圧縮応力を変える場合に圧力の無い状態になるまで作用する。固定リングは封隙部および保護リングと当接状態にあるのが好ましい。
【０００８】
従って圧力下で流れていない媒体により挿入コネクタ部材を最初に加圧する場合、管部分は保護リングによりその閉鎖一へ軸方向に移動され、従って製造面でかつ機能面で限定された間隙に基づいて、手前に管部分から流れ出す媒体は、固定リングと接触状態にある封隙部に密着する。媒体の圧力に基づき、封隙部は固定リングにより閉鎖位置に移動される。その際に固定リングに作用する力の大きさは、媒体の動作圧と封隙部の大きさに左右される。従って最適な力は選定される封隙部の大きさによって調節されることができる。それに加えて、固定リングの固定は固定リングのための選定される材料選定により選ばれることができる。固定は軟質の材料の場合には僅かな力で始まり、硬質の材料の場合には大きな力で始まる。固定リングは高強度の材料から成るのが好ましい。
【０００９】
本発明によれば、当接面は袋ナットにあるいはネジ継手体に構成されていてもよく、ネジ継手体には、空間に配置されており、ネジ継手体と袋ナットの間で支持されている中間リングも属されることができ、この中間リングは、様々な管部分におけるネジ継手体の、アダプタあるいは適合体の機能を有することができる。当接面は、管部分の長手方向軸線に対して、それ自体セルフロックが起こり得るような傾斜を有する必要がある。セルフロックにより、それ自体圧力の無い状態において、固定リングは引返して差込み位置に達することができないことが意図されている。そのことから、本発明の重要な長所も明らかになる。その理由は、つまり固定リングは媒体が圧力の無い状態においても、管部分を特に軸方向で遊び無く保持することにある。従って遊びの無い閉鎖位置は、媒体の圧力による抜群の当接において達成される。遊びの無い閉鎖位置において、挿入コネクタ部材の部材および配管あるいはホースの相対運動は互いに阻止されている。
【００１０】
本発明によれば、挿入コネクタ部材内に差込まれる管部分は、保護リングにより閉鎖位置で保持され、固定位置にある固定リングにより遊び無く固定される。
【００１１】
当接面は管部分の長手方向軸線に対して１０°未満の角度でもって傾けられているのが好ましい。当接面と長手方向軸線の間のこのような小さい角度の場合、普通一般に、いつもセルフロックが掛かっている。
【００１２】
有利な態様によれば、当接面は袋ナット内に構成されており、凹部の第一の段の軸方向の区画面は、差込み方向に対して傾けられており、従って当接面を形成する。当接面は例えばもっぱら袋ナットに構成されていてもよい。
【００１３】
代替え的に、当接面は空間に配置された中間リング或いはネジ継手体に構成されたソケットに構成されている。特に当接面はこれらの要素の一つにだけ構成されている。当接面が袋ナットにも中間リングにも或いはソケットに構成されている場合、固定リングは複数の位置に挟まり、これにより確実な固定が達成される。
【００１４】
予め規定された位置で、ネジ継手体内に管部分を差込む際に固定リングを保持し、媒体を加圧する際に付加的なクランプ力を加えるために、固定リングのその軸方向の横断面がＺ状に形成されているのが好ましく、従って固定リングが一方では軸方向で、空間に配置された中間リングあるいはネジ継手体に構成されたソケットと当接しており、他方では軸方向で、管部分の隆起部と当接している。これに関連して、固定リングが差込み位置と閉鎖位置で管部分の隆起部に当接するのも好ましい。
【００１５】
挿入コネクタ部材の別の有利な態様によれば、固定リングは長手方向軸線に対して平行に構成された少なくとも一つのスリットを備えている。その際に、固定リングの固定作用と固定リングのセルフロックは保持されたままである。その理由は、このセルフロックが基本的に当接面の角度の構成に左右されることにある。固定リングは少なくとも一部が長手方向に延びている一つあるいは複数のスリットを備えている。プラスチックから成る固定リングの場合、固定リングが固定リングにおいて一部だけが長手方向に延びている複数のスリットを備えているのが好ましい。黄銅あるいはアルミニウムのような金属から成る固定リングの態様の場合、精密に、長手方向に完全に固定リングを通って延びるスリットが構成されているのが好ましい。このような固定リングは、プラスチックリングに比べて極めて振動を遮断する。
【００１６】
本発明と技術的な環境を以下の図に基づいて詳しく説明し、それに応じて、図は本発明の好ましい実施形態を示す。
【図面の簡単な説明】
【００１７】
【図１】本発明による挿入コネクタ部材を示す。
【図２】差込まれた管部分を備えた挿入コネクタ部材を示す。
【図３】閉鎖位置における挿入コネクタ部材を示す。
【図４】閉鎖位置における挿入コネクタ部材の詳細を示す。
【図５】本発明による挿入コネクタ部材の別の実施形態を示す。
【図６】固定リングを示す。
【発明を実施するための形態】
【００１８】
図１〜４に図示された挿入コネクタ部材１は、ネジ継手体３から成り、このネジ継手体の対応する雄ネジを備えたネジ継手体上には、対応する雌ネジを備えた袋ナット４がネジで固定されている。ネジ継手体３には孔２が構成されている。その上にネジ止めされた袋ナット４を備えた、この点で前もって組立てられたネジ継手体３において、管部分５が差込み可能である（図２）。挿入コネクタ部材１には、ネジ継手体３、袋ナット４及び管部分５により空間８が形成されている。空間８には、保護リング７の他に、保護リング７と当接している固定リング１５が配置されている。それに加えて、空間にはネジ継手体３の形状に合わせられた中間リング１９が配置されている。さらに空間８には封隙部が封隙リング１３の形態で配置されており、この封隙部は管部分５の差込み端部により封隙するように協働し、管部分５は中間リング１９に対して封隙する。
【００１９】
管部分５の差込み領域には、差込み領域の外周にわたり突出している隆起部２１が構成されており、隆起部２１には保持面６が溝の形態で接続されている。管部分５はネジ継手体３および袋ナット４と一致する長手方向軸線１７を備えている。
【００２０】
固定リング１５はその外周部でもって二つの当接面１６に当接している。一つの当接面１６は中間リング１９に構成されており、他の当接面は袋ナット４に構成されている。二つの当接面は長手方向軸線１７に対して１０°未満の角度でもって傾けられている。中間リング１９が当接面においてのみ当接された場合、本発明にとっては十分である。
【００２１】
袋ナット４において、管部分５のための差込み位置において、および袋ナット４の底面９の近くの閉鎖位置において、保護リング７を収容するための二段式の凹部は、第一の段１１と第二の段１２でもって構成されている。管部材−挿入コネクタ部材を組立てるために、差込むべき管部分５はネジ継手体３と袋ナット４から成るユニットに差込まれ、保護リング７は差込み位置では図２から明白なように、保持面６に当接する。図２の描写において、保護リング７はなお凹部１０の第一の段１１にある。
【００２２】
管部分５において流れる媒体が加圧されると、まず管部分５は圧力により差込み方向に対して軸方向１４に移動され、それにより弾性的に拡張可能な保護リング７は第二の段１２で当接する。従って製造面でかつ機能面で限定された遊びに基づき、圧力下にある媒体は封隙リング１３に達し、この封隙リングは再度圧効果の下で固定リング１５を差込み方向１４に抗して移動する。当接面１６に差込み方向１４に対して角度１８でもって先細りになるので、固定リング１５は当接面１６と管部分５の間で挟み込まれる。閉鎖位置と固定位置は、図３に示されており、図４では拡大された状態で示されている。
【００２３】
長手方向軸線１７に対する当接面１６の傾きに基づき、固定リング１５は自動ロックで当接面１６と管部分５の間にあり、それにより固定リング１５は圧力のない状態でも遊び無しで挿入コネクタ部材１に保持される。
【００２４】
図５には本発明による挿入コネクタ部材１の代替え的実施形態が示されており、以下に相違点だけを取上げる。先に論じられた実施形態とは異なり、ここでネジ継手体３はそれ自体、封隙部１３のための当接面１６とソケット２０の形態の固定リング１５を形成する。従って先に扱われた実施形態と比べて、一部材、すなわち中間リングは削減され、それによりコンパクトな配設が達成されることができる。
【００２５】
図６にはスリット２２を備えた固定リング１５が示されている。スリットは挿入コネクタ部材１の長手方向軸線１７に対して平行に延びており、かつ固定リング１５の幅全体にわたり延びている。図示していない実施形態において、スリット２２は固定リング１５の幅２３の一部にわたってだけ延びていてもよい。
【００２６】
本願発明により、コネクタを製造する人が付加的な組立工程を実行する必要もなく、磨滅を減らす遊びの無い挿入コネクタ部材が達成されることができる。
【符号の説明】
【００２７】
１    挿入コネクタ部材
２    孔
３    ネジ継手体
４    袋ナット
５    管部分
６    保持面
７    保護リング
８    空間
９    底面
１０  凹部
１１  第一の段
１２  第二の段
１３  封隙リング
１４  差込み方向
１５  固定リング
１６  当接面
１７  長手方向軸線
１８  角度
１９  中間リング
２０  ソケット
２１  隆起部
２２  スリット
２３  幅
【図１】
2017509840.tif 000003
【図２】
2017509840.tif 000004
【図３】
2017509840.tif 000005
【図４】
2017509840.tif 000006
【図５】
2017509840.tif 000007
【図６】
2017509840.tif 000008
【国際調査報告】
2017509840.tif 000009
2017509840.tif 000010
2017509840.tif 000011
2017509840.tif 000012
2017509840.tif 000013
2017509840.tif 000014